【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
流体の物理量を計測する物理量計測装置（５０）であって、
流入口（６３ａ）及び流出口（６３ｂ）を有し、これら流入口及び流出口から出入りした前記流体が通過する通過流路（６１）と、
前記通過流路から分岐した分岐流路（６２）と、
前記通過流路と前記分岐流路とを分岐させるべく前記通過流路と前記分岐流路とを仕切っている流路仕切部（１１１）と、
前記分岐流路において前記流体の物理量を検出する物理量検出部（５２）と、
を備え、
前記通過流路の内周面（６１ａ）のうち、前記通過流路と前記分岐流路との境界である流路境界部（６４）及び前記流入口を挟んで対向する一対の対向面（６８）が並ぶ方向を、幅方向（Ｘ）と称し、前記幅方向に直交し且つ前記流入口への前記流体の流入向き（Ｚ）に直交する方向を高さ方向（Ｙ）と称し、
前記通過流路の前記内周面のうち、前記高さ方向において前記流路境界部側の面を天井面（６６）と称し、前記高さ方向において前記流路境界部とは反対側の面を床面（６７）と称し、
前記通過流路は前記床面に沿って延びており、
前記流路仕切部の上流側端部である仕切頂部（１１１ａ）は前記流入口から露出していない、物理量計測装置。
【請求項２】
前記通過流路について、前記通過流路と前記分岐流路との境界（６４）の下流側端部を下流境界部分（６４ｂ）と称すると、
前記仕切頂部は、前記下流境界部分を形成している、請求項１に記載の物理量計測装置。
【請求項３】
前記流路境界部よりも上流側において、前記天井面から前記床面側に向けて突出した天井凸部（１１２）の先端部（１１２ａ）と、前記床面から前記天井面側に向けて突出した床凸部（８５，１１７）の先端部（８５ｃ，１１７ａ）とを繋いだ仮想線として、前記天井凸部の前記先端部を頂点とした角度であって前記流入向きに対する前記天井面側への仮想の角度である繋ぎ角度（θａ）が最も大きくなる仮想線を繋ぎ線（ＰＬ）と称すると、
前記仕切頂部は、前記繋ぎ線を挟んで前記床面とは反対側にある、請求項１又は２に記載の物理量計測装置。
【請求項４】
流体の物理量を計測する物理量計測装置（５０）であって、
流入口（６３ａ）及び流出口（６３ｂ）を有し、これら流入口及び流出口から出入りした前記流体が通過する通過流路（６１）と、
前記通過流路から分岐した分岐流路（６２）と、
前記通過流路と前記分岐流路とを分岐させるべく前記通過流路と前記分岐流路とを仕切っている流路仕切部（１１１）と、
前記分岐流路において前記流体の物理量を検出する物理量検出部（５２）と、
を備え、
前記通過流路の内周面（６１ａ）のうち、前記通過流路と前記分岐流路との境界である流路境界部（６４）及び前記流入口を挟んで対向する一対の対向面（６８）が並ぶ方向を、幅方向（Ｘ）と称し、前記幅方向に直交し且つ前記流入口への前記流体の流入向き（Ｚ）に直交する方向を高さ方向（Ｙ）と称し、
前記通過流路の前記内周面のうち、前記高さ方向において前記流路境界部側の面を天井面（６６）と称し、前記高さ方向において前記天井面とは反対側の面を床面（６７）と称し、
前記流路境界部よりも上流側において、前記天井面から前記床面側に向けて突出した天井凸部（１１２）の先端部（１１２ａ）と、前記床面から前記天井面側に向けて突出した床凸部（８５，１１７）の先端部（８５ｃ，１１７ａ）とを繋いだ仮想線として、前記天井凸部の前記先端部を頂点とした角度であって前記流入向きに対する前記天井面側への仮想の角度である繋ぎ角度（θａ）が最も大きくなる仮想線を繋ぎ線（ＰＬ）と称すると、
前記流路仕切部の上流側端部である仕切頂部（１１１ａ）は、前記繋ぎ線を挟んで前記床面とは反対側にある、物理量計測装置。
【請求項５】
前記仕切頂部は前記流入口から露出していない、請求項４に記載の物理量計測装置。
【請求項６】
前記通過流路について、前記通過流路と前記分岐流路との境界（６４）の下流側端部を下流境界部分（６４ｂ）と称すると、
前記仕切頂部は、前記下流境界部分を形成している、請求項４又は５に記載の物理量計測装置。
【請求項７】
前記通過流路について、前記通過流路と前記分岐流路との境界である流路境界部（６４）の上流側端部を上流境界部分（６４ａ）と称すると、
前記天井凸部の前記先端部は、前記上流境界部分を形成している、請求項３〜６のいずれか１つに記載の物理量計測装置。
【請求項８】
前記天井凸部の前記先端部は、前記高さ方向において前記仕切頂部と前記床凸部の前記先端部との間に配置されている、請求項３〜７のいずれか１つに記載の物理量計測装置。
【請求項９】
前記流入口の開放面積を小さくすることで前記流入口からの前記流体の流入を制限する流入制限部（８５）が、前記床凸部として前記流入口に設けられている、請求項３〜８のいずれか１つに記載の物理量計測装置。
【請求項１０】
前記通過流路において前記流入口から前記流出口まで真っ直ぐに延びる真っ直ぐ領域（１１５）と、前記繋ぎ線とが、いずれも前記流入向きに対して傾斜しており、
前記真っ直ぐ領域と前記繋ぎ線とは、前記流入向きに対して互いに反対側に傾斜している、請求項３〜９のいずれか１つに記載の物理量計測装置。
【請求項１１】
前記仕切頂部は、前記流入口から前記流出口まで真っ直ぐに延びる領域（１１５）が前記通過流路において確保された状態で、前記流入口から露出していない、請求項１〜１０のいずれか１つに記載の物理量計測装置。
【請求項１２】
前記流入口の開放面積を小さくすることで前記流入口からの前記流体の流入を制限する流入制限部（８５）が、前記仕切頂部を上流側から覆い隠すように前記流入口に設けられている、請求項１〜１１のいずれか１つに記載の物理量計測装置。
【請求項１３】
流体の物理量を計測する物理量計測装置（５０）であって、
流入口（６３ａ）及び流出口（６３ｂ）を有し、これら流入口及び流出口から出入りした前記流体が通過する通過流路（６１）と、
前記通過流路から分岐した分岐流路（６２）と、
前記通過流路と前記分岐流路とを分岐させるべく前記通過流路と前記分岐流路とを仕切っている流路仕切部（１１１）と、
前記分岐流路において前記流体の物理量を検出する物理量検出部（５２）と、
を備え、
前記流路仕切部の上流側端部である仕切頂部（１１１ａ）は前記流入口から露出しておらず、
前記流入口の開放面積を小さくすることで前記流入口からの前記流体の流入を制限する流入制限部（８５）が、前記仕切頂部を上流側から覆い隠すように前記流入口に設けられている、物理量計測装置。
【請求項１４】
流体の物理量を計測する物理量計測装置（５０）であって、
流入口（６３ａ）及び流出口（６３ｂ）を有し、これら流入口及び流出口から出入りした前記流体が通過する通過流路（６１）と、
前記通過流路から分岐した分岐流路（６２）と、
前記通過流路と前記分岐流路とを分岐させるべく前記通過流路と前記分岐流路とを仕切っている流路仕切部（１１１）と、
前記分岐流路において前記流体の物理量を検出する物理量検出部（５２）と、
を備え、
前記通過流路の内周面（６１ａ）のうち、前記通過流路と前記分岐流路との境界である流路境界部（６４）及び前記流入口を挟んで対向する一対の対向面（６８）が並ぶ方向を、幅方向（Ｘ）と称し、前記幅方向に直交し且つ前記流入口への前記流体の流入向き（Ｚ）に直交する方向を高さ方向（Ｙ）と称し、
前記通過流路の前記内周面のうち、前記高さ方向において前記流路境界部側の面を天井面（６６）と称し、前記高さ方向において前記天井面とは反対側の面を床面（６７）と称し、
前記流路境界部よりも上流側において、前記天井面から前記床面側に向けて突出した天井凸部（１１２）の先端部（１１２ａ）と、前記床面から前記天井面側に向けて突出した床凸部（８５）の先端部（８５ｃ）とを繋いだ仮想線として、前記天井凸部の前記先端部を頂点とした角度であって前記流入向きに対する前記天井面側への仮想の角度である繋ぎ角度（θａ）が最も大きくなる仮想線を繋ぎ線（ＰＬ）と称すると、
前記繋ぎ線と前記流路仕切部とが交差している部分について、これら繋ぎ線と流路仕切部との角度であって前記分岐流路とは反対側を向いた交差角度（θｃ）が９０度より大きい、物理量計測装置。
【請求項１５】
前記交差角度は、前記繋ぎ線と前記流路仕切部とが交差する部分について、前記繋ぎ線と前記流路仕切部の接線（ＴＬ）との角度である、請求項１４に記載の物理量計測装置。
【手続補正２】
【補正対象書類名】明細書
【補正対象項目名】０００６
【補正方法】変更
【補正の内容】
【０００６】
上記目的を達成するため、開示された第１、第２および第３の態様は、
流体の物理量を計測する物理量計測装置（５０）であって、
流入口（６３ａ）及び流出口（６３ｂ）を有し、これら流入口及び流出口から出入りした流体が通過する通過流路（６１）と、
通過流路から分岐した分岐流路（６２）と、
通過流路と分岐流路とを分岐させるべく通過流路と分岐流路とを仕切っている流路仕切部（１１１）と、
分岐流路において流体の物理量を検出する物理量検出部（５２）と、
を備える。
第１の態様は、
通過流路の内周面（６１ａ）のうち、通過流路と分岐流路との境界である流路境界部（６４）及び流入口を挟んで対向する一対の対向面（６８）が並ぶ方向を、幅方向（Ｘ）と称し、幅方向に直交し且つ流入口への流体の流入向き（Ｚ）に直交する方向を高さ方向（Ｙ）と称し、
通過流路の内周面のうち、高さ方向において流路境界部側の面を天井面（６６）と称し、高さ方向において流路境界部とは反対側の面を床面（６７）と称し、
通過流路は床面に沿って延びており、
流路仕切部の上流側端部である仕切頂部（１１１ａ）は流入口から露出していない、物理量計測装置である。
第２の態様は、
通過流路の内周面（６１ａ）のうち、通過流路と分岐流路との境界である流路境界部（６４）及び流入口を挟んで対向する一対の対向面（６８）が並ぶ方向を、幅方向（Ｘ）と称し、幅方向に直交し且つ流入口への流体の流入向き（Ｚ）に直交する方向を高さ方向（Ｙ）と称し、
通過流路の内周面のうち、高さ方向において流路境界部側の面を天井面（６６）と称し、高さ方向において天井面とは反対側の面を床面（６７）と称し、
流路境界部よりも上流側において、天井面から床面側に向けて突出した天井凸部（１１２）の先端部（１１２ａ）と、床面から天井面側に向けて突出した床凸部（８５，１１７）の先端部（８５ｃ，１１７ａ）とを繋いだ仮想線として、天井凸部の先端部を頂点とした角度であって流入向きに対する天井面側への仮想の角度である繋ぎ角度（θａ）が最も大きくなる仮想線を繋ぎ線（ＰＬ）と称すると、
流路仕切部の上流側端部である仕切頂部（１１１ａ）は、繋ぎ線を挟んで床面とは反対側にある、物理量計測装置である。
第３の態様は、
流路仕切部の上流側端部である仕切頂部（１１１ａ）は流入口から露出しておらず、
流入口の開放面積を小さくすることで流入口からの流体の流入を制限する流入制限部（８５）が、仕切頂部を上流側から覆い隠すように流入口に設けられている、物理量計測装置である。
【手続補正３】
【補正対象書類名】明細書
【補正対象項目名】０００８
【補正方法】変更
【補正の内容】
【０００８】
第４の態様は、
流体の物理量を計測する物理量計測装置（５０）であって、
流入口（６３ａ）及び流出口（６３ｂ）を有し、これら流入口及び流出口から出入りした流体が通過する通過流路（６１）と、
通過流路から分岐した分岐流路（６２）と、
通過流路と分岐流路とを分岐させるべく通過流路と分岐流路とを仕切っている流路仕切部（１１１）と、
分岐流路において流体の物理量を検出する物理量検出部（５２）と、
を備え、
通過流路の内周面（６１ａ）のうち、通過流路と分岐流路との境界である流路境界部（６４）及び流入口を挟んで対向する一対の対向面（６８）が並ぶ方向を、幅方向（Ｘ）と称し、幅方向に直交し且つ流入口への流体の流入向き（Ｚ）に直交する方向を高さ方向（Ｙ）と称し、
通過流路の内周面のうち、高さ方向において流路境界部側の面を天井面（６６）と称し、高さ方向において天井面とは反対側の面を床面（６７）と称し、
流路境界部よりも上流側において、天井面から床面側に向けて突出した天井凸部（１１
２）の先端部（１１２ａ）と、床面から天井面側に向けて突出した床凸部（８５）の先端部（８５ｃ）とを繋いだ仮想線として、天井凸部の先端部を頂点とした角度であって流入向きに対する天井面側への仮想の角度である繋ぎ角度（θａ）が最も大きくなる仮想線を繋ぎ線（ＰＬ）と称すると、
繋ぎ線と流路仕切部とが交差している部分について、これら繋ぎ線と流路仕切部との角度であって分岐流路とは反対側を向いた交差角度（θｃ）が９０度より大きい、物理量計測装置である。
【手続補正４】
【補正対象書類名】明細書
【補正対象項目名】０００９
【補正方法】変更
【補正の内容】
【０００９】
比較的大型の異物など直進しやすい異物については、障害物に衝突して跳ね返ることが想定される。ここで、通過流路の内周面において、互いに対向する対向部分が並ぶ方向を通過流路の幅方向と称し、この幅方向に直交する方向を通過流路の高さ方向と称する。流入口から進入して直進している異物が流路仕切部に衝突して跳ね返った場合、その跳ね返った角度によっては、その異物が分岐流路に進入して行ってしまう、ということが懸念される。これに対して、上記第４の態様によれば、基準仮想線と仕切接線との間の角度が９０度より大きいため、流入口から直進して流路仕切部に衝突した異物が分岐流路側ではなく通過流路側に跳ね返ることになる。したがって、異物が分岐流路に進入することを抑制できる。すなわち、物理量検出部に異物が到達することを抑制できる。